(57)【要約】【課題】  簡素な構成でありながら、害虫発生予測をより高精度に行うことを可能とする。【解決手段】  端末装置と、端末装置とネットワークで接続されるサーバ装置とを含む害虫発生予測システムであって、端末装置は、捕虫シートを撮影して画像データを取得するカメラと、補虫シートの位置情報を取得する位置情報取得部と、画像データと位置情報とを含む補虫シート情報を作成し、補虫シート情報をサーバ装置へ送信する制御部と、を備え、サーバ装置は、端末装置から補虫シート情報を受信し、補虫シート毎に、補虫シート情報に含まれる画像データを解析して補虫シート毎の害虫数をカウントし、害虫数と位置情報とを含む集計基礎情報を作成する画像解析部と、複数の前記補虫シート毎の集計基礎情報に基づいて害虫の発生を予測する予測部とを備える。【選択図】  図１
2015154732.tif 000002
【特許請求の範囲】
【請求項１】
端末装置と、前記端末装置とネットワークで接続されるサーバ装置とを含む害虫発生予測システムであって、
前記端末装置は、
捕虫シートを撮影して画像データを取得するカメラと、
前記補虫シートの位置情報を取得する位置情報取得部と、
前記画像データと前記位置情報とを含む補虫シート情報を作成し、前記補虫シート情報を前記サーバ装置へ送信する制御部と、を備え、
前記サーバ装置は、
前記端末装置から前記補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成する画像解析部と、
複数の前記補虫シート毎の前記集計基礎情報に基づいて害虫の発生を予測する予測部と
を備えることを特徴とする害虫発生予測システム。
【請求項２】
前記予測部は、前記集計基礎情報に含まれる前記位置情報に基づいて、複数の前記補虫シートを、害虫予測範囲において分割された複数の小領域のいずれかに分類し、所定の決定ルールに基づいて、複数の前記小領域毎に前記小領域毎の代表害虫数を決定し、少なくとも、複数の前記代表害虫数の空間的分布に基づいて害虫の発生を予測することを特徴とする請求項１記載の害虫発生予測システム。
【請求項３】
前記決定ルールは、前記小領域毎に前記害虫数の平均値を算出し、前記平均値を前記小領域毎の代表害虫数とするルールであることを特徴とする請求項２記載の害虫発生予測システム。
【請求項４】
前記予測部は、複数の前記代表害虫数の空間的分布に加え、前記代表害虫数の過去データの時間的変化や天候データを考慮して前記予測を実行することを特徴とする請求項２または３記載の害虫発生予測システム。
【請求項５】
前記位置情報は、測位衛星システムから受信する前記端末装置の位置情報であることを特徴とする請求項１−４のいずれか１項に記載の害虫発生予測システム。
【請求項６】
前記位置情報は、前記補虫シートに付与された一次元あるい二次元バーコードに埋め込まれた前記補虫シートの座標情報であることを特徴とする請求項１−４のいずれか１項に記載の害虫発生予測システム。
【請求項７】
捕虫シートを撮影して画像データを取得するカメラと、
前記補虫シートの位置情報を取得する位置情報取得部と、
前記画像データと前記位置情報とを含む補虫シート情報を作成し、前記補虫シート情報をサーバ装置へ送信する制御部と
を備えることを特徴とする端末装置。
【請求項８】
端末装置から、捕虫シートを撮影した画像データと前記補虫シートの位置情報とを含む補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成する画像解析部と、
複数の前記補虫シート毎の前記集計基礎情報に基づいて害虫の発生を予測する予測部と
を備えることを特徴とするサーバ装置。
【請求項９】
端末装置と、前記端末装置とネットワークで接続されるサーバ装置とを含む害虫発生予測システムにおける害虫発生予測方法であって、
前記端末装置において、
捕虫シートを撮影して画像データを取得し、前記補虫シートの位置情報を取得し、前記画像データと前記位置情報とを含む補虫シート情報を作成し、前記補虫シート情報を前記サーバ装置へ送信し、
前記サーバ装置において、
前記端末装置から前記補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成し、複数の前記補虫シート毎の前記集計基礎情報に基づいて害虫の発生を予測する
ことを特徴とする害虫発生予測方法。
【請求項１０】
補虫シートの座標情報および前記補虫シートを識別するためのＩＤの少なくとも一方が埋め込まれたバーコードを含み、前記バーコードがバーコードの線幅がカウント対象とする害虫の幅と同等の一次元バーコード、またはバーコードのドットサイズがカウント対象とする害虫のサイズと同等の二次元バーコードであることを特徴とする補虫シート。
【発明の詳細な説明】
【技術分野】
【０００１】
本発明は、害虫の発生を予測する害虫発生予測システム、端末装置、サーバ装置、および害虫発生予測方法に関する。
【背景技術】
【０００２】
農業における害虫防除として、害虫の被害が作物の経済的損害の許容水準以上になる時だけ一時的に行われる「初期段階防除」が知られている。初期段階防除は、害虫による被害が発生していなくとも定期的に実施される「予防的防除」に比べて、殺虫剤（農薬）の総使用量を削減したり、防除コスト自体を低下させたりする効果を有している。
【０００３】
そして、害虫発生の初期段階を判断する方法として、例えば、捕虫シート（粘着剤が塗布されて害虫を捕獲するシート）等のトラップにて害虫を捕獲し、捕獲された害虫の数が所定の閾値を上回った時点、あるいはその数から予測された時期を初期段階と判断する方法が知られている。
【０００４】
しかしながら、上記方法において、害虫のカウントおよび初期段階の予測は人手により行われるため、人為的ミス（カウントミスやカウント忘れ）や経験差による判断のバラツキを防ぐことは困難である。すなわち、上記方法では、初期段階を客観的に判断することは困難である。
【０００５】
一方、近年、ＩＣＴ（Information and Communication Technology）活用による農作物の生育・病害状態のデータ記録の容易化、解析の試みがなされており、害虫監視についてもさまざまな手法が提案されている。
【０００６】
例えば、非特許文献１には、家庭用の電撃殺虫器とフィールドサーバとを組み合わせた害虫自動計数装置に基づいて害虫の発生を予察するシステムについての記載がある。
【０００７】
また、特許文献１には、圃場内に設置された補虫シートをカメラ等で撮影し、撮影画像の中から害虫を検出しその数をカウントする画像処理装置が記載されている。
【先行技術文献】
【特許文献】
【０００８】
【特許文献１】特開２０１２−１６１２６９号公報（ページＮｏ．６、７、図１、２、７）
【非特許文献】
【０００９】
【非特許文献１】「フィールドサーバと電撃殺虫器を用いた害虫発生予察システム」
【発明の概要】
【発明が解決しようとする課題】
【００１０】
非特許文献１におけるフィールドサーバは、農場など遠隔地の屋外環境を測定するためにカメラ、複数のセンサ（気温、湿度、日射量等を測定するセンサ）、照明、太陽電池等を搭載した小型観測ロボットであり、高価である。従って、このような高価な装置を多地点観測のために多くの場所に設置すると、システムコストが増大化する。
【００１１】
また、特許文献１のように、撮影画像の中から害虫を画像認識する技術において、計測誤差（害虫の色や形状によって害虫と認識できない、あるいは、全く無関係の物体を害虫と誤認識する等）を完全に排除することは困難である。
【００１２】
上記計測誤差により、害虫数が実際よりも少なくカウントされた場合、防除の時期が遅れ、害虫被害が拡大する虞がある。反対に、害虫数が実際よりも多くカウントされた場合、本来必要の無い防除が実行されることになり、殺虫剤（農薬）の総使用量や防除コストが増大する虞がある。
【００１３】
本発明は、上記課題を解決するためになされたものであり、簡素な装置構成でありながら、害虫発生予測をより高精度に行うことが可能な害虫発生予測システム、端末装置、サーバ装置、および害虫発生予測方法を提供することを目的とする。
【課題を解決するための手段】
【００１４】
本発明の害虫発生予測システムは、端末装置と、前記端末装置とネットワークで接続されるサーバ装置とを含む害虫発生予測システムであって、前記端末装置は、捕虫シートを撮影して画像データを取得するカメラと、前記補虫シートの位置情報を取得する位置情報取得部と、前記画像データと前記位置情報とを含む補虫シート情報を作成し、前記補虫シート情報を前記サーバ装置へ送信する制御部と、を備え、前記サーバ装置は、前記端末装置から前記補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成する画像解析部と、複数の前記補虫シート毎の前記集計基礎情報に基づいて害虫の発生を予測する予測部とを備える。
【００１５】
本発明の端末装置は、捕虫シートを撮影して画像データを取得するカメラと、前記補虫シートの位置情報を取得する位置情報取得部と、前記画像データと前記位置情報とを含む補虫シート情報を作成し、前記補虫シート情報をサーバ装置へ送信する制御部とを備える。
【００１６】
本発明のサーバ装置は、端末装置から、捕虫シートを撮影した画像データと前記補虫シートの位置情報とを含む補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成する画像解析部と、複数の前記補虫シート毎の前記集計基礎情報に基づいて害虫の発生を予測する予測部とを備える。
【００１７】
本発明の害虫発生予測方法は、端末装置と、前記端末装置とネットワークで接続されるサーバ装置とを含む害虫発生予測システムにおける害虫発生予測方法であって、前記端末装置において、捕虫シートを撮影して画像データを取得し、前記補虫シートの位置情報を取得し、前記画像データと前記位置情報とを含む補虫シート情報を作成し、前記補虫シート情報を前記サーバ装置へ送信し、前記サーバ装置において、前記端末装置から前記補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成し、複数の前記補虫シート毎の前記集計基礎情報に基づいて害虫の発生を予測することを特徴とする。
【発明の効果】
【００１８】
本発明によれば、簡素な構成でありながら、害虫発生予測をより高精度に行うことが可能となる。
【図面の簡単な説明】
【００１９】
【図１】本発明の実施形態に係る害虫発生予測システムの構成例を示すブロック図である。
【図２】補虫シート情報の構成例を示す図である。
【図３】集計基礎情報の構成例を示す図である。
【図４】予測部における害虫発生予測例を説明するための図である。
【図５】図５は、図１に示す端末装置の動作例を説明するためのフローチャートである。
【図６】図６は、図１に示すサーバ装置の動作例を説明するためのフローチャートである。
【発明を実施するための形態】
【００２０】
図１は、本発明の実施形態に係る害虫発生予測システム１０の構成例を示すブロック図である。
【００２１】
害虫発生予測システム１０は、端末装置２０と、サーバ装置３０とを備える。端末装置２０は、ネットワーク４０を介して、サーバ装置３０と接続される。
【００２２】
端末装置２０は、カメラ２２と、位置情報取得部２４と、制御部２６と、を備える。端末装置２０は、代表的には、たとえば、携帯電話やスマートフォンである。
【００２３】
カメラ２２は、圃場内の各所に予め設置された補虫シート５０を撮影し画像データＡを取得する。画像データＡは、制御部２６へ出力される。
【００２４】
位置情報取得部２４は、補虫シート５０の位置情報Ｂを取得する。位置情報Ｂは、制御部２６へ出力される。なお、本実施形態において、位置情報取得部２４は、ＧＰＳ（Global Positioning System）等の衛星測位システムから位置情報を取得する。上記位置情報は、厳密には、補虫シート５０そのものの位置ではなく端末装置２０の位置である。しかしながら、現実的には、カメラ２２による補虫シート５０の撮影は、補虫シート５０に接近して行われるため、端末装置２０の位置は、実質的には、補虫シート５０の位置と等しいとみなすことができる。
【００２５】
制御部２６は、画像データＡと位置情報Ｂとを含む補虫シート情報Ｃ（図２参照）を作成する。補虫シート情報Ｃは、ネットワーク４０を介して、サーバ装置３０へ送信される。
【００２６】
サーバ装置３０は、画像解析部３２と、予測部３４と、を備える。サーバ装置３０は、代表的には、クラウドサーバである。
【００２７】
画像解析部３２は、端末装置２０から補虫シート情報Ｃを受信する。画像解析部３２は、補虫シート５０毎に、補虫シート情報Ｃに含まれる画像データＡを解析して補虫シート５０毎の害虫数Ｄをカウントし、害虫数Ｄと位置情報Ｂとを含む集計基礎情報Ｅ（図３参照）を出力する。
【００２８】
予測部３４は、複数の補虫シート５０毎の集計基礎情報Ｅを入力する。予測部３４は、複数の補虫データ５０毎の集計基礎情報Ｅに基づいて害虫の発生を予測する。
【００２９】
たとえば、予測部３４は、集計基礎情報Ｅに含まれる位置情報Ｂに基づいて、複数の補虫シート５０を、害虫予測範囲において分割された複数の小領域のいずれかに分類する。予測部３４は、所定の決定ルールに基づいて、複数の小領域毎の代表害虫数を決定する。たとえば、予測部３４は、小領域毎に害虫数の平均値を算出し、平均値を小領域毎の代表害虫数とする。予測部３４は、少なくとも、複数の代表害虫数に基づいて害虫の発生を予測する。予測部３４は、予測結果Ｆを、ネットワーク４０を介して端末装置２０へ送信する。
【００３０】
図４は、予測部３４における害虫発生予測例を説明するための図である。図４では、３×３の小領域に分割された害虫予測範囲が示される。各小領域内の数字は、代表害虫数（たとえば、各小領域における害虫数の平均値）を示す。予測部３４は、害虫予測範囲における代表害虫数の空間的分布に基づいて害虫の飛来方向、各圃場への害虫到達時期等を予測する。なお、図４は、害虫発生予測の方法自体をより明瞭に説明するために、簡略化された記載となっている。従って、図４の記載と実際の運用とでは、小領域の分割数および各代表害虫数が異なることは説明するまでもない。
【００３１】
図５は、図１に示す端末装置２０の動作例を説明するためのフローチャートである。
【００３２】
カメラ２２は、圃場内の各所に予め設置された補虫シート５０を撮影し画像データＡを取得する（ステップＳ１）。画像データＡは、制御部２６へ出力される。
【００３３】
位置情報取得部２４は、補虫シート５０の位置情報Ｂを取得する（ステップＳ２）。位置情報Ｂは、制御部２６へ出力される。
【００３４】
制御部２６は、画像データＡと位置情報Ｂとを含む補虫シート情報Ｃ（図２参照）を作成する（ステップＳ３）。制御部２６は、補虫シート情報Ｃを、ネットワーク４０を介して、サーバ装置３０へ送信する（ステップＳ４）。
【００３５】
なお、図４におけるステップＳ１の処理とステップＳ２における処理の順番は逆であってもよいし、同時であってもよい。
【００３６】
図６は、図１に示すサーバ装置３０の動作例を説明するためのフローチャートである。
【００３７】
画像解析部３２は、端末装置２０から補虫シート情報Ｃを受信する（ステップＳ１０）。
【００３８】
画像解析部３２は、補虫シート５０毎に、補虫シート情報Ｃに含まれる画像データＡを解析して補虫シート５０毎の害虫数Ｄをカウントし、害虫数Ｄと位置情報Ｂとを含む集計基礎情報Ｅ（図３参照）を出力する（ステップＳ１１）。
【００３９】
予測部３４は、複数の補虫シート５０毎の集計基礎情報Ｅを入力する。予測部３４は、複数の補虫データ５０毎の集計基礎情報Ｅに基づいて害虫の発生を予測する（ステップＳ１２）。具体的な予測方法は、上述したとおりである。
【００４０】
予測部３４は、予測結果Ｆを、ネットワーク４０を介して端末装置２０へ送信する（ステップＳ１３）。
【００４１】
以上説明したように、本実施形態において、補虫シート５０の撮影時に画像データだけでなく位置情報も併せて取得される。従って、撮影画像の中から害虫を画像認識する際に発生する計測誤差を軽減させるための対策（たとえば、上述したような小領域毎に代表害虫数を算出することにより計測の誤差を吸収する対策）を講じることができる。
【００４２】
しかも、本実施形態の害虫発生予測システム１０において、補虫シート５０を撮影して画像データを取得する手段である端末装置２０は、極めて汎用的な機器である、携帯電話やスマートフォン等で構成することができる。従って、広範囲に亘る害虫発生予測を行う場合であっても、非特許文献１のように装置コストが増大することはない。
【００４３】
以上を纏めると、本実施形態によれば、簡素な装置構成でありながら、害虫発生予測をより高精度に行うことが可能となる。
【００４４】
なお、予測部３４における害虫発生予測は、上述したような空間的な変化だけでなく、時間的変化（過去データとの比較）や害虫数以外のパラメータ（例えば、天候データ）を考慮して行われてもよい。
【００４５】
また、位置情報Ｃは、補虫シート５０に直接印刷されたあるいは貼り付けられた一次元あるい二次元バーコードに埋め込まれた補虫シート５０の座標情報であってもよい。この際、埋め込まれた位置情報が予め測定された補虫シート５０固有の位置情報である場合、撮影位置を補虫シート５０の位置と見なす場合に比べて補虫シート５０の位置をより正確に把握することができる。各補虫シート５０の位置がより正確の把握されることにより、補虫シート５０の分類の精度も向上する。従って、誤分類のリスクが軽減し、結果として、より一層計測誤差を軽減させることができる。
【００４６】
なお、上記バーコードには、補虫シート５０の位置情報を含ませず、捕虫シート５０を識別するためのＩＤ（identification）のみが埋め込まれていてもよい。この場合、サーバ装置３０側にて、別途、ＩＤと位置情報とを紐付けるようにすればよい。
【００４７】
なお、ＩＤと位置情報との紐付けは、たとえば、サーバ装置３０側において、ユーザが地図情報に基づき指定してもよい。
【００４８】
あるいは、事前の位置登録は行わず、端末装置２０がＧＰＳ等で得た位置情報をＩＤと共にサーバ装置３０へ送信し、サーバ装置３０が受信した位置情報をＩＤ毎に管理してＩＤと位置情報との紐付けを自動的に行うようにしてもよい。このようにすることにより、捕虫シート５０へバーコードを印刷する際に予め設置場所を決めておく作業、およびサーバ装置３０側にてマップ上の位置を指定する作業等を省略することができる。
【００４９】
なお、このとき、時系列で同じＩＤに対して複数回の送信された位置情報を所定の統計処理（たとえば、平均等）によって、各ＩＤの位置情報を徐々に高精度化（換言すれば、ＧＰＳの計測誤差を抑制していく）ことが可能となる。
【００５０】
なお、一次元あるい二次元バーコードに埋め込まれた補虫シート５０の位置情報は、具体的な座標情報の代わりに、どの小領域に属するかを示す識別情報としてもよい。
【００５１】
また、一次元あるい二次元バーコードに、補虫シート情報Ｃを送信するサーバ装置３０の送信先情報（たとえば、ＵＲＬ（Uniform Resource Locator））を埋め込み、制御部２６等がこれを認識し送信する構成とすることもできる。このようにすることにより、補虫シート情報Ｃを誤送信するリスクを低減させることができる。
【００５２】
なお、端末装置２０によって撮影された捕虫シート５０の画像における虫のカウント精度を低下させる要因として、撮影された画像の画質の劣化（手振れやピンボケ）を挙げることができる。上記画質劣化を防止するために、一次元バーコードの線の太さ、あるいは、二次元バーコードのドットのサイズを、カウント対象とする虫のサイズとほぼ同一となるようにする。そして、端末装置２０のカメラ２２にて一次元バーコードまたは二次元バーコードを含む捕虫シート５０の所定の撮影対象領域を撮影した際に、撮影画像から上記バーコード読取に成功した場合は当該撮影画像をサーバ装置３０へ送信し、失敗した場合は当該撮影画像を破棄して再撮影を実行する。
【００５３】
すなわち、上記構成では、撮影画像の画質が、カウント精度が低下する虞のある画質であるか否かを、バーコード読取の正否に基づいて自動的に判定している。そして、スマートフォン等の端末装置２０の多くは、標準的な機能としてバーコード認識機能を有しており、システムのコストもかからない。さらに、バーコードの認識処理は高速に行えるので、ユーザに待ち時間等の負担を強いることも無い。従って、上記構成によれば、特別な装置を追加することなく且つユーザに対して余計な手間を強いることなく、補虫シート５０における虫のカウント精度の低下を防止することができる。
【００５４】
以上、実施形態を用いて本発明を説明したが、本発明の技術的範囲は、上記実施形態の記載に限定されない。上記実施形態に多様な変更又は改良を加えることが可能であることは当業者にとって自明である。従って、そのような変更又は改良を加えた形態もまた本発明の技術的範囲に含まれることは説明するまでもない。また、以上説明した実施形態において使用される、数値や各構成の名称等は例示的なものであり適宜変更可能である。
【００５５】
また、上記実施形態の一部又は全部は、以下の付記のようにも記載されうる。
（付記１）
端末装置と、前記端末装置とネットワークで接続されるサーバ装置とを含む害虫発生予測システムであって、
前記端末装置は、
捕虫シートを撮影して画像データを取得するカメラと、
前記補虫シートの位置情報を取得する位置情報取得部と、
前記画像データと前記位置情報とを含む補虫シート情報を作成し、前記補虫シート情報を前記サーバ装置へ送信する制御部と、を備え、
前記サーバ装置は、
前記端末装置から前記補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成する画像解析部と、
複数の前記補虫シート毎の前記集計基礎情報に基づいて害虫の発生を予測する予測部と
を備えることを特徴とする害虫発生予測システム。
（付記２）
前記予測部は、前記集計基礎情報に含まれる前記位置情報に基づいて、複数の前記補虫シートを、害虫予測範囲において分割された複数の小領域のいずれかに分類し、所定の決定ルールに基づいて、複数の前記小領域毎に前記小領域毎の代表害虫数を決定し、少なくとも、複数の前記代表害虫数の空間的分布に基づいて害虫の発生を予測することを特徴とする付記１記載の害虫発生予測システム。
（付記３）
前記決定ルールは、前記小領域毎に前記害虫数の平均値を算出し、前記平均値を前記小領域毎の代表害虫数とするルールであることを特徴とする付記２記載の害虫発生予測システム。
（付記４）
前記予測部は、複数の前記代表害虫数の空間的分布に加え、前記代表害虫数の過去データの時間的変化や天候データを考慮して前記予測を実行することを特徴とする付記２または３記載の害虫発生予測システム。
（付記５）
前記位置情報は、測位衛星システムから受信する前記端末装置の位置情報であることを特徴とする付記１−４のいずれか１項に記載の害虫発生予測システム。
（付記６）
前記位置情報は、前記補虫シートに付与された一次元あるい二次元バーコードに埋め込まれた前記補虫シートの座標情報であることを特徴とする付記１−４のいずれか１項に記載の害虫発生予測システム。
（付記７）
前記位置情報は、前記補虫シートに付与された一次元あるい二次元バーコードに埋め込まれた前記捕虫シートを識別するためのＩＤに対応付けてサーバ上で管理される座標情報であることを特徴とする付記１−４のいずれか１項に記載の害虫発生予測システム。
（付記８）
前記座標情報は、前記補虫シートの撮影時に前記位置情報取得部によって計測された位置情報を複数回の所定の統計処理によって高精度化させた情報であることを特徴とする付記７記載の害虫発生予測システム。
（付記９）
前記補虫シートの前記座標情報および前記ＩＤの少なくとも一方が埋め込まれたバーコードは、バーコードの線幅がカウント対象とする害虫の幅と同等の一次元バーコード、またはバーコードのドットサイズがカウント対象とする害虫のサイズと同等の二次元バーコードであり、
前記端末装置は、前記一次元バーコードまたは前記二次元バーコードを含んで前記補虫シートを撮影し、撮影画像からバーコードを認識し、前記バーコードが正しく認識されたか否かの結果に基づいて、前記撮影画像の前記サーバ装置への送信を判定することを特徴とする付記６−８のいずれか１項に記載の害虫発生予測システム。
（付記１０）
前記バーコードが正しく認識された場合、前記端末装置は、前記撮影画像を前記サーバ装置へ送信することを特徴とする付記９記載の害虫発生予測システム。
（付記１１）
前記バーコードが正しく認識されない場合、前記端末装置は、前記撮影画像を前記サーバ装置へ送信せず、前記補虫シートを再度撮影することを特徴とする付記９または１０記載の害虫発生予測システム。
（付記１２）
前記端末装置はスマートフォンであり、前記サーバ装置はクラウドサーバであることを特徴とする付記１−１１のいずれか１項に記載の害虫発生予測システム。
（付記１３）
捕虫シートを撮影して画像データを取得するカメラと、
前記補虫シートの位置情報を取得する位置情報取得部と、
前記画像データと前記位置情報とを含む補虫シート情報を作成し、前記補虫シート情報をサーバ装置へ送信する制御部と
を備えることを特徴とする端末装置。
（付記１４）
端末装置から、捕虫シートを撮影した画像データと前記補虫シートの位置情報とを含む補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成する画像解析部と、
複数の前記補虫シート毎の前記集計基礎情報に基づいて害虫の発生を予測する予測部と
を備えることを特徴とするサーバ装置。
（付記１５）
端末装置と、前記端末装置とネットワークで接続されるサーバ装置とを含む害虫発生予測システムにおける害虫発生予測方法であって、
前記端末装置において、
捕虫シートを撮影して画像データを取得し、前記補虫シートの位置情報を取得し、前記画像データと前記位置情報とを含む補虫シート情報を作成し、前記補虫シート情報を前記サーバ装置へ送信し、
前記サーバ装置において、
前記端末装置から前記補虫シート情報を受信し、前記補虫シート毎に、前記補虫シート情報に含まれる前記画像データを解析して前記補虫シート毎の害虫数をカウントし、前記害虫数と前記位置情報とを含む集計基礎情報を作成し、複数の前記補虫シート毎の前記集計基礎情報に基づいて害虫の発生を予測する
ことを特徴とする害虫発生予測方法。
（付記１６）
補虫シートの座標情報および前記補虫シートを識別するためのＩＤの少なくとも一方が埋め込まれたバーコードを含み、前記バーコードがバーコードの線幅がカウント対象とする害虫の幅と同等の一次元バーコード、またはバーコードのドットサイズがカウント対象とする害虫のサイズと同等の二次元バーコードであることを特徴とする補虫シート。
【符号の説明】
【００５６】
１０    害虫発生予測システム
２０    端末装置
２２    カメラ
２４    位置情報取得部
２６    制御部
３０    サーバ装置
３２    画像解析部
３４    予測部
４０    ネットワーク
５０    補虫シート
Ａ    画像データ
Ｂ    位置情報
Ｃ    補虫シート情報
Ｄ    害虫数
Ｅ    集計基礎情報
Ｆ    予測結果
【図１】
2015154732.tif 000003
【図２】
2015154732.tif 000004
【図３】
2015154732.tif 000005
【図４】
2015154732.tif 000006
【図５】
2015154732.tif 000007
【図６】
2015154732.tif 000008